(57)【特許請求の範囲】
【請求項１】
複数の電池を収納した状態で電子機器に装填される電池ケースにおいて、ケース本体とケースカバーとからなり、前記ケース本体の電池収納部の深さを電池の収納状態で各電池の側面が枠部分の端面よりも外側へ突出するように構成し、前記ケースカバーが、収納状態の各電池の側面を覆う板材であって、前記各電池の突出した側面に対応した波状板として形成されていると共に、柔軟な板状マグネットを前記波状板の波状面に沿って貼着したものであることを特徴とする電池ケース。
【発明の詳細な説明】
【０００１】
【発明の属する技術分野】
本発明は電子機器に装填される電池ケースに係り、ケースカバーの取り付け方式を簡素化しながら、電池を確実に保持する構造に関する。
【０００２】
【従来の技術】
従来から、携帯型の簡易無線電話装置やモービル運用される無線機等においては、複数本の乾電池や充電池を収納した電池ケースを装填して電源としている。
そして、この種の機器では、卓上電子計算機のように予め電池ケース自体が機器の筐体に一体的に組み込まれていてカバーを外して電池を装填するのではなく、電池を収納・保持するケース本体とケースカバーとからなるカートリッジタイプの電池ケースが用いられ、その電池ケースを機器の基本筐体側に着脱できるようになっている。
【０００３】
例えば、図３(Ａ)は携帯型の簡易無線電話装置の外観斜視図であり、同図(Ｂ)はその要部構造図であるが、この場合には基本筐体50に電子部品51aを搭載したプリント配線基板(ＰＣＢ)51bが取り付けられており、その基本筐体50の背面側に６本の乾電池52を収納した電池ケース53が着脱できる構造になっている。
また、その取り付け方式としては、電池ケース53の端面に突出形成された係止部54を基本筐体50側における前記端面との接合面に形成された陥凹部55に差し込んで、電池ケース53を基本筐体50側へ押圧することにより下側を弾性式把持機構56で係止する方式を採用している。
【０００４】
ここで、電池ケース53は、６本の乾電池52を平行に整列させて収納するケース本体57とケースカバー58からなり、ケース本体57は乾電池52の外径寸法よりも大きい深さを有すると共に、ケースカバー58の両側部を案内する溝が形成されており、乾電池52を装填した状態でケースカバー58をガイド溝に嵌挿してスライドさせることで乾電池52の収納部を覆うようになっている。
また、ケースカバーの取り付け方としては、前記の基本筐体50に対する電池ケース53の取り付け方式と同様に、一端を係止機構として他端を弾性式把持機構にしたものがある。
尚、ケース本体57の深さが乾電池52の外径寸法よりも大きいと乾電池52を取り出し難くなるため、乾電池52の下側に沿ってその整列方向へ帯状布を敷いておき、帯状布の一端を引くことにより全ての乾電池52を取り出せるようにするような工夫が施されている。
【０００５】
そして、ケースカバー58の役割が、機器に作用する振動や衝撃によってケース本体57の乾電池52が装填状態から外れてしまうことを防止する点にあることは言うまでもない。特に、携帯型の簡易無線電話装置等では振動や衝撃を受けることが多く、電池ケース53のケースカバー58が担う役割は重要である。
【０００６】
【発明が解決しようとする課題】
ところで、電子機器全般に求められることでもあるが、特に電池ケースを装填して電源とする前記無線電話装置やモービル運用される無線機では筐体に対して電池ケースの占める容積が大きく、電池ケースの小型・薄型化の要望が強い。
その点に関して、図３に示した電池ケース53ではケース本体57側に形成されたガイド溝にケースカバー58を嵌挿させて取り付けるようになっているため、ガイド部分の構成によって電池ケース53の厚みが大きくなる。
また、前記のように、ケース本体57の深さが乾電池53の外径よりも大きいため、乾電池53を取り出す際の各種工夫を施しておかなければならない。
更に、電池ケース53は樹脂成型加工によって製造されるが、ガイド部分があるために金型が複雑になり、製造コストがそれだけ高くなる。
尚、これらの問題点は、ケースカバーの一端を係止して他端を弾性式把持機構で止める方式を採用する場合にも同様である。
【０００７】
そこで、本発明は、乾電池や充電池の外筒がスチール製であることに着目し、極めて簡単な構成でありながら、振動や衝撃が作用したとしてもケース本体から電池が容易に外れないようにできる電池ケースを提供し、もって前記の各問題点を解消することを目的として創作された。
【０００８】
【課題を解決するための手段】
本発明は、複数の電池を収納した状態で電子機器に装填される電池ケースにおいて、ケース本体とケースカバーとからなり、前記ケース本体の電池収納部の深さを電池の収納状態で各電池の側面が枠部分の端面よりも外側へ突出するように構成し、前記ケースカバーが、収納状態の各電池の側面を覆う板材であって、前記各電池の突出した側面に対応した波状板として形成されていると共に、柔軟な板状マグネットを前記波状板の波状面に沿って貼着したものであることを特徴とする電池ケースに係る。
【０００９】
本発明によれば、ケースカバーはケース本体に取り付けられるものではなく、板状マグネットの吸着力によって各電池の側面に取り付けられる。
したがって、ケースカバーはケース本体側における個々の電池の保持力を相互に共有させる機能を果たし、振動や衝撃が作用してもケース本体から電池が外れ難くする。
そして、ケース本体側にケースカバーの取り付け機構を設ける必要がないため、電池ケースの薄型化を実現できる。
また、電池の側部がケース本体の枠部分の端面よりも突出していることで、電池を取り出す際には電池の端面を指先で係止して引き起こせばよく、特別な工夫や機構を要しない。
【００１０】
特に、ケースカバーを各電池の突出した側面に対応した波状板として形成して柔軟な板状マグネットをその波状面に沿って貼着した構成しているため、ケースカバーの各電池への吸着力が大きくなって前記の保持機能を強化できると共に、より薄い板状マグネットを採用できる。
【００１１】
【発明の実施の形態】
以下、本発明の「電池ケース」の実施形態を図１及び図２を用いて詳細に説明する。
先ず、図１は図３(Ａ)に示した携帯型の簡易無線電話装置に適用される電池ケースのケース本体(乾電池が収納された状態)とケースカバーの外観斜視図である。
同図において、1はケース本体であり、図３(Ｂ)のケース本体57と同様に６本の乾電池2を収納している。
但し、ケース本体1における乾電池2の収納領域の深さが浅く、その領域を画する枠部3の端面よりも乾電池2の側部周面が突出している点で、図３(Ｂ)のケース本体57とは異なっている。
【００１２】
そして、各乾電池2の電極は前記枠部3に設けられた端子(＋極は板状端子4、−極は円錐形コイルバネ5)に接合し、各乾電池2はコイルバネ5の付勢力によってケース本体57に保持されている。
また、各々の＋極と−極の端子4,5はそれぞれ共通導体板(図示せず)に接続されて、枠部3に構成されている共通端子6,7に導かれている。
尚、8,9は図３(Ｂ)の係止部54に相当するものである。
【００１３】
一方、ケースカバー31はケース本体1側の乾電池2の配設領域に相当する大きさを有すると共に、ケース本体1側に収納した各乾電池2におけるケース本体1側の枠部3の端面よりも突出した部分(外筒の側部周面の一部)に対応した波状板として構成されており、その波状面に沿って柔軟な帯状マグネット板(マグネットテープ)32,33が貼着されている。
【００１４】
次に、以上の構成に基づいて、ケース本体1側にケースカバー31を取り付けた状態は図２に示される。
但し、二点鎖線で示した部分は簡易無線電話装置の基本筐体20である。
一般に、乾電池2の外筒部分はスチール製であるため、同図に示すように、ケースカバー31は帯状マグネット板32,33の吸着力によってケース本体1に収納されている各乾電池2に被着・吸着することにより取り付けられる。
この場合、ケースカバー31の帯状マグネット板32,33は各乾電池2の突出した側部周面に沿って吸着するため、吸着面積が大きくなって、強い吸着力が得られる。
従って、ケース本体1側における個々の乾電池2の保持力を相互に共有させると共に、ケースカバー31によって乾電池2の一部を抱持することができ、振動や衝撃が作用しても個々の乾電池2が端子4,5間から容易に外れないようにできる。
【００１５】
また、ケースカバー31の各乾電池2に対する吸着力が大きいことは、帯状マグネット板32,33として薄い素材を用いることを可能にし、電池ケースの薄型化が実現できることになる。
更に、ケースカバー31は乾電池2の一部を抱持しているため、振動や衝撃に対する乾電池2の移動を防止し、常に良好な電極接合条件を維持させることができるという利点もある。
【００１６】
そして、図１からも明らかなように、各乾電池2の側部はケース本体1側の枠部3の端面よりも突出しているため、各乾電池2の各電極側端面に指先を係止して引き起こすだけで各乾電池2をケース本体1から容易に取り外すことが可能であり、取り外しのための格別な措置や手段は不要である。
【００１７】
尚、この実施形態では乾電池用の電池ケースについて説明したが、充電池の場合であっても同様であり、且つ乾電池や充電池の外筒の形状も問わないことは、上記原理から自明である。
【００１８】
【発明の効果】
本発明の「電池ケース」は、以上の構成を有していることにより、次のような効果を奏する。
極めて簡単な構成で安価に製造できるケース本体とケースカバーにより、振動や衝撃に対する強い電池の保持力と電極接合を十分に得ながら、電池ケースの厚みを薄くすることを可能にする。
また、電池の取り出しに関しても指先で簡単に行うことができ、取り出しを考慮して各種の手段を付加しておく必要がないという利点も有している。
【図面の簡単な説明】
【図１】実施形態に係る電池ケースのケース本体とケースカバーの外観斜視図である。
【図２】ケース本体側にケースカバーを取り付けた状態における電池ケースの側面図である。(但し、二点鎖線で示した部分は簡易無線電話装置の基本筐体を示す。)
【図３】携帯型の簡易無線電話装置の外観斜視図(Ａ)と同装置に電池ケースが取り付けられた状態を示す要部側面図(Ｂ)である。
【符号の説明】
1…ケース本体、2…乾電池、3…枠部、4…板状端子、5…円錐形コイルバネ、6,7…共通端子、8,9…係止部、20…簡易無線電話装置の基本筐体、31…ケースカバー、32,33…帯状マグネット板(マグネットテープ)、50…簡易無線電話装置の基本筐体、51a…電子部品、51b…プリント配線基板、52…乾電池、53…電池ケース、54…係合部、55…陥凹部、56…弾性式把持機構、57…ケース本体、58…ケースカバー。
【図１】
0003609678.tif 000002
【図２】
0003609678.tif 000003
【図３】
0003609678.tif 000004